(57)【要約】例えば関連セルを識別するように、制御チャネルフォーマットインジケータ（ＣＣＦＩ）を送信するために、周波数を選択することを容易にするシステム及び方法が説明されている。一例において、ＣＣＦＩデータは、時間送信インターバル（ＴＴＩ）における周波数（例えば直交周波数分割多重化（ＯＦＤＭ）記号）の初期部分において送信されることができる。ＣＣＦＩデータは、周波数の初期部分にわたって拡散されることができ、また、送信セルを識別するためにシフトされることができる。さらに、ＣＣＦＩデータは、セルをさらに識別するためにスクランブルされることができる。ＣＣＦＩデータはまた、後続の制御チャネル及び／またはデータチャネルの構造を決定するために、使用されることができる。
2010531119.tif 000002
【特許請求の範囲】
【請求項１】
無線通信ネットワークにおいて制御チャネルフォーマット情報を送信するための方法であって、
１つまたは複数のアンテナ上でその後に送信される制御チャネルの構造を定義する、制御チャネルフォーマットインジケータ（ＣＣＦＩ）データを生成することと、
セル識別子にしたがって使用されるサブキャリアをシフトすることに少なくとも部分的に基づいて前記ＣＣＦＩデータが拡散される、帯域幅のサブキャリアを選択することと、
前記の選択された帯域幅のサブキャリア上で前記ＣＣＦＩデータを送信することと、
を備えている方法。
【請求項２】
前記セル識別子にしたがって前記ＣＣＦＩデータをスクランブルすること、をさらに備えている請求項１に記載の方法。
【請求項３】
前記サブキャリアは、利用可能なサブキャリアの数と、前記ＣＣＦＩデータを送信するために必要とされた四位相変調（ＱＰＳＫ）記号の数と、にしたがって、さらに選択されている、請求項１に記載の方法。
【請求項４】
前記サブキャリアは、与えられた時間送信インターバル（ＴＴＩ）における第１の直交周波数分割多重化（ＯＦＤＭ）記号である、請求項１に記載の方法。
【請求項５】
前記サブキャリアは、複数の隣接サブキャリアのペアである、請求項４に記載の方法。
【請求項６】
前記の隣接サブキャリアのペアは、基準信号を送信するために使用されるサブキャリア間に位置されている、請求項５に記載の方法。
【請求項７】
１つまたは複数の異なるアンテナのために生成されたＣＣＦＩデータを拡散するために、帯域幅の異なるサブキャリアを選択すること、をさらに備えている請求項１に記載の方法。
【請求項８】
前記帯域幅上で、前記サブキャリアと前記異なるサブキャリアとの選択を替えること、をさらに備えている請求項７に記載の方法。
【請求項９】
無線通信装置であって、
セル識別子に少なくとも部分的に基づいて１つまたは複数のアンテナのための制御チャネルフォーマットインジケータ（ＣＣＦＩ）データを拡散するために帯域幅の部分を選択するように、また、前記の帯域幅の部分上で前記ＣＣＦＩデータを送信するように、構成された少なくとも１つのプロセッサと、
前記少なくとも１つのプロセッサに結合されたメモリと、
を備えている無線通信装置。
【請求項１０】
前記少なくとも１つのプロセッサは、前記セル識別子にしたがって前記ＣＣＦＩデータをスクランブルするようにさらに構成されている、請求項９に記載の無線通信装置。
【請求項１１】
前記の帯域幅の部分は、時間送信インターバル（ＴＴＩ）における第１の直交周波数分割多重化（ＯＦＤＭ）記号の複数のサブキャリアに関する、請求項１０に記載の無線通信装置。
【請求項１２】
前記サブキャリアは、利用可能なサブキャリアの数と、前記ＣＣＦＩデータを送信するために必要とされた四位相変調（ＱＰＳＫ）記号の数にしたがって、さらに選択されている、請求項１１に記載の無線通信装置。
【請求項１３】
前記の選択されたサブキャリアは、前記無線通信装置の１つまたは複数のアンテナに関する１つまたは複数の基準信号間で位置された、複数の隣接サブキャリアのペアである、請求項１２に記載の無線通信装置。
【請求項１４】
前記少なくとも１つのプロセッサは、１つまたは複数の異なるアンテナに関するＣＣＦＩデータを拡散するために、帯域幅の異なる部分を選択するようにさらに構成されている、請求項９に記載の無線通信装置。
【請求項１５】
前記の帯域幅の選択された部分と前記の帯域幅の選択された異なる部分は、前記帯域幅にわたって替わる、請求項１４に記載の無線通信装置。
【請求項１６】
無線通信ネットワークにおいて制御チャネルフォーマット情報を送信する無線通信装置であって、
その後に送信される制御チャネルの構造を定義する、制御チャネルフォーマットインジケータ（ＣＣＦＩ）データを生成するための手段と、
セル識別子にしたがって前記帯域幅上で再使用可能にシフトすることに少なくとも部分的に基づいて前記ＣＣＦＩデータが拡散される、帯域幅の部分を選択するための手段と、
前記の選択された帯域幅の部分上で、前記ＣＣＦＩデータを送信するための手段と、
を備えている、無線通信装置。
【請求項１７】
前記セル識別子にしたがって前記ＣＣＦＩデータをスクランブルするための手段、をさらに備えている請求項１６に記載の無線通信装置。
【請求項１８】
前記の帯域幅の部分は、与えられた時間送信インターバル（ＴＴＩ）における第１の直交周波数分割多重化（ＯＦＤＭ）記号のサブキャリアに関する、請求項１６に記載の無線通信装置。
【請求項１９】
前記サブキャリアは、利用可能なサブキャリアの数と、前記ＣＣＦＩデータを送信するために必要とされた四位相変調（ＱＰＳＫ）記号の数にしたがって、さらに選択されている、請求項１８に記載の無線通信装置。
【請求項２０】
前記サブキャリアは、１つまたは複数のアンテナに関する基準信号を送信するために使用されたサブキャリア間で位置された複数の隣接サブキャリアのペアである、請求項１９に記載の無線通信装置。
【請求項２１】
前記ＣＣＦＩデータで定義された前記構造にしたがって帯域幅の後続的な部分上で、制御チャネルデータを拡散するための手段、をさらに備えている請求項１６に記載の無線通信装置。
【請求項２２】
１つまたは複数の異なるアンテナのために生成されるＣＣＦＩデータを拡散するために帯域幅の異なる部分を選択するための手段、をさらに備えている請求項１６に記載の無線通信装置。
【請求項２３】
前記の帯域幅の部分及び前記の帯域幅の異なる部分の前記選択は、前記帯域幅上で替わる、請求項２２に記載の無線通信装置。
【請求項２４】
コンピュータプログラムプロダクトであって、
１つまたは複数のアンテナ上でその後に送信される制御チャネルの構造を定義する、制御チャネルフォーマットインジケータ（ＣＣＦＩ）データを少なくとも１つのコンピュータに生成させるためのコードと、
セル識別子にしたがって使用されるサブキャリアをシフトすることに少なくとも部分的に基づいて前記ＣＣＦＩデータが拡散される、帯域幅のサブキャリアを前記少なくとも１つのコンピュータに選択させるためのコードと、
前記の選択された帯域幅のサブキャリア上で前記ＣＣＦＩデータを前記少なくとも１つのコンピュータに送信させるためのコードと、
を備えているコンピュータ可読媒体、
を備えているコンピュータプログラムプロダクト。
【請求項２５】
前記コンピュータ可読媒体は、セル識別子にしたがって前記ＣＣＦＩデータを前記少なくとも１つのコンピュータにスクランブルさせるためのコードをさらに備えている、請求項２４に記載のコンピュータプログラムプロダクト。
【請求項２６】
無線通信ネットワークにおいて制御チャネルフォーマット情報を受信するための方法であって、
送信セルから、時間送信インターバル（ＴＴＩ）における帯域幅の初期部分を受信することと、
前記の帯域幅の部分にわたって、制御チャネルフォーマットインジケータ（ＣＣＦＩ）データの周波数位置を検出することと、
前記の帯域幅の部分におけるＣＣＦＩデータの前記位置に少なくとも部分的に基づいて前記送信セルを識別することと、
を備えている方法。
【請求項２７】
前記送信セルを識別することは、前記ＣＣＦＩデータの検出されたスクランブリングに少なくとも部分的にさらに基づいている、請求項２６に記載の方法。
【請求項２８】
前記ＣＣＦＩデータは、前記の帯域幅の部分における基準信号を送信するために使用される周波数間に位置されている、請求項２６に記載の方法。
【請求項２９】
前記ＣＣＦＩデータは、前記の帯域幅の部分においてシフトされており、前記セルは、前記のシフトに少なくとも部分的に基づいて識別される、請求項２６に記載の方法。
【請求項３０】
前記の帯域幅の部分は、時間送信インターバル（ＴＴＩ）について第１の直交周波数分割多重化（ＯＦＤＭ）記号のサブキャリアに関する、請求項２６に記載の方法。
【請求項３１】
受信された信号において、制御チャネルフォーマットインジケータ（ＣＣＦＩ）データの周波数位置を検出するように、
前記周波数位置に少なくとも部分的に基づいて、前記ＣＦＩデータの送信機を識別するように、
構成された少なくとも１つのプロセッサと、
前記少なくとも１つのプロセッサに結合されたメモリと、
を備えている無線通信装置。
【請求項３２】
前記送信機を識別することは、前記ＣＣＦＩデータの検出されたスクランブリングに少なくとも部分的にさらに基づいている、請求項３１に記載の無線通信装置。
【請求項３３】
前記ＣＣＦＩデータは、前記信号における基準信号を送信するために使用される周波数間に位置されている、請求項３１に記載の無線通信装置。
【請求項３４】
前記ＣＣＦＩデータは、前記信号においてシフトされ、前記送信機は、前記のシフトに少なくとも部分的に基づいて識別される、請求項３１に記載の無線通信装置。
【請求項３５】
前記信号は、時間送信インターバル（ＴＴＩ）について第１の直交周波数分割多重化（ＯＦＤＭ）記号の複数のサブキャリアを備えている、請求項３１に記載の無線通信装置。
【請求項３６】
無線通信ネットワークにおいて制御チャネルフォーマット情報を受信するための無線通信装置であって、
帯域幅の受信部分にわたって、制御チャネルフォーマットインジケータ（ＣＣＦＩ）データの周波数位置を決定するための手段と、
前記の帯域幅の部分におけるＣＣＦＩデータの前記位置に少なくとも部分的に基づいて送信セルを識別するための手段と、
を備えている無線通信装置。
【請求項３７】
前記送信機を識別することは、前記ＣＣＦＩデータの検出されたスクランブリングに少なくとも部分的にさらに基づいている、請求項３６に記載の無線通信装置。
【請求項３８】
前記ＣＣＦＩデータは、前記の帯域幅の部分における基準信号を送信するために使用される周波数間に位置されている、請求項３６に記載の無線通信装置。
【請求項３９】
前記ＣＣＦＩデータは、前記の帯域幅の部分においてシフトされており、前記セルは、前記のシフトに少なくとも部分的に基づいて識別される、請求項３６に記載の無線通信装置。
【請求項４０】
前記の帯域幅の部分は、時間送信インターバル（ＴＴＩ）について第１の直交周波数分割多重化（ＯＦＤＭ）記号の複数のサブキャリアを備えている、請求項３６に記載の無線通信装置。
【請求項４１】
前記ＣＣＦＩデータに少なくとも部分的に基づいて帯域幅の後続的な部分から制御データを復号するための手段、をさらに備えている請求項３６に記載の無線通信装置。
【請求項４２】
基準信号を送信するために使用された周波数間で位置されたダウンリンク確認応答データと、帯域幅の後続的な部分におけるＣＣＦＩデータと、を解釈するための手段、をさらに備えている請求項３６に記載の無線通信装置。
【請求項４３】
前記ダウンリンク確認応答データは、セル識別子にしたがってセル間干渉を緩和するために前記の帯域幅の後続的な部分にわたって拡散される、請求項４２に記載の無線通信装置。
【請求項４４】
コンピュータプログラムプロダクトであって、
送信セルから時間送信インターバル（ＴＴＩ）における帯域幅の初期部分を少なくとも１つのコンピュータに受信させるためのコードと、
前記の帯域幅の部分にわたって、制御チャネルフォーマットインジケータ（ＣＣＦＩ）データの周波数位置を前記少なくとも１つのコンピュータに検出させるためのコードと、
前記の帯域幅の部分におけるＣＣＦＩデータの前記位置に少なくとも部分的に基づいて前記送信セルを前記少なくとも１つのコンピュータに識別させるためのコードと、
を備えているコンピュータ可読媒体、
を備えているコンピュータプログラムプロダクト。
【請求項４５】
前記送信セルを識別することは、前記ＣＣＦＩデータの検出されたスクランブリングに少なくとも部分的にさらに基づいている、請求項４４に記載のコンピュータプログラムプロダクト。
【発明の詳細な説明】
【優先権主張】
【０００１】
（関連出願の相互参照）
本願は、２００７年６月２０日に出願された、「ＤＬ ＡＣＫ及びＣＣＦＩの周波数マッピング及び送信構造(FREQUENCY MAPPING AND TRANSMISSION STRUCTURE OF DL ACK AND CCFI)」と題された米国仮特許出願番号６０／９４５，２９３の利益を主張する。前述の出願の全体は、参照によってここに組み込まれている。
【背景】
【０００２】
（I．分野）
下記の説明は、一般に無線通信に関し、またより具体的には、制御チャネルフォーマットインジケータ及びダウンリンク確認応答信号の周波数マッピング(frequency mapping of control channel format indicators and downlink acknowledgement signals)に関する。
【０００３】
（II．背景）
無線通信システムは、例えばボイス、データ、等のような様々なタイプの通信コンテンツ(communication content)を提供するように広く展開されている。典型的な無線通信システムは、利用可能なシステムリソース（例えば、帯域幅、送信パワー、…）を共有することによって、複数ユーザとの通信をサポートすることができる多元接続システムであってもよい。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、及び同様なもの、を含むことができる。さらに、システムは、第三世代パートナーシッププロジェクト（３ＧＰＰ）、３ＧＰＰロングタームエボリューション（ＬＴＥ）、ウルトラモバイルブロードバンド（ＵＭＢ）、等のような仕様書に従う(conform)ことができる。
【０００４】
一般に、無線多元接続通信システムは、マルチプルモバイルデバイス(multiple mobile devices)のための通信を同時にサポートすることができる。各モバイルデバイスは、順方向リンク及び逆方向リンク上の送信を介して、１つまたは複数の基地局と通信することができる。順方向リンク(あるいはダウンリンク)は、基地局からモバイルデバイスまでの通信リンクを指しており、逆方向リンク(あるいはアップリンク)は、モバイルデバイスから基地局までの通信リンクを指している。さらに、モバイルデバイスと基地局との間の通信は、シングルインプットシングルアウトプット(single-input-single-output)（ＳＩＳＯ）、マルチプルインプットシングルアウトプット(multiple-input-single-output)（ＭＩＳＯ）、マルチプルインプットマルチプルアウトプット(multiple-input-multiple-output)（ＭＩＭＯ）システム等を介して、確立されることができる。さらに、モバイルデバイスは、ピアツーピア無線ネットワーク構成において、他のモバイルデバイスと（及び／または基地局が他の基地局と）通信することができる。
【０００５】
ＭＩＭＯシステムは、データ送信のために、マルチプル（ＮＴ）送信アンテナ及びマルチプル（ＮＲ）受信アンテナを一般に利用する。アンテナは、一例において無線ネットワーク上でデバイス間の双方向通信を可能にして、基地局とモバイルデバイスの両方に関連することができる。この点では、アンテナ上の通信は、同様な周波数が近隣セルあるいはセクタによって使用される場合、しばしば、混信しうる(can interfere)。制御チャネルフォーマットインジケータ(Control channel format indicator)（ＣＣＦＩ）は、制御チャネル構造の仕様(specification)を可能にし、したがって、制御チャネル及び／または共有チャネルを復号するように使用される。この目的のために、各受信機は、少なくともチャネル構造を得るために、ＣＣＦＩを復号することができるべきである。
【発明の概要】
【０００６】
下記は、そのような実施形態の基本理解を提供するために１つまたは複数の実施形態の簡略化された概要(summary)を提示する。この概要は、すべての企図された実施形態の広範囲な全体像ではなく、また、重要なあるいは決定的なエレメントを識別することも、いずれのあるいはすべての実施形態の範囲を詳細に描写することも、意図されていない。その唯一の目的は、後で示されるより詳細な説明の前置きとして、簡略化された形態で１つまたは複数の実施形態のいくつかの概念(concepts)を提示することである。
【０００７】
１つまたは複数の実施形態及びそれらの対応する開示にしたがって、様々な態様が、マルチプル送信アンテナ上の周波数及び空間ダイバーシティ(frequency and spatial diversity)を可能にするために、制御チャネルフォーマットインジケータ（ＣＣＦＩ）及びダウンリンク（ＤＬ）確認応答（ＡＣＫ）のマッピングを容易にすることに関して、説明されている。ダイバーシティは、ＣＣＦＩを送信するために使用される帯域幅上で再使用要因(a reuse factor)を提供することと、ＣＣＦＩのスクランブリング(scrambling of the CCFI)を提供することと、の両方によって達成されることができ、また、ＤＬ ＡＣＫは、ＣＣＦＩに少なくとも部分的に基づくことができる。一例において、ＣＣＦＩ及び／またはＤＬ ＡＣＫは、セル識別子(cell identifier)にしたがってスクランブルされシフトされることができる、隣接サブキャリアのペア(pairs of adjacent subcarriers)にマッピングされることができる。
【０００８】
関連態様にしたがって、無線通信ネットワークにおいて制御チャネルフォーマット情報(control channel format information)を送信するための方法が提供されている。方法は、１つまたは複数のアンテナ上でその後に送信される制御チャネルの構造を定義する、ＣＣＦＩデータを生成すること(generating CCFI data that defines a structure of control channels subsequently transmitted over one or more antennas)を備えることができる。さらに方法は、セル識別子にしたがって使用されるサブキャリアをシフトすることに少なくとも部分的に基づいてＣＣＦＩデータが拡散される、帯域幅のサブキャリアを選択することと(selecting subcarriers of bandwidth over which the CCFI data is spread based at least in part on shifting subcarriers utilized according to a cell identifier)、選択された帯域幅のサブキャリア上でＣＣＦＩデータを送信することと(transmitting the CCFI data over the selected subcarriers of bandwidth)、を含むことができる。
【０００９】
別の態様は、無線通信装置(wireless communications apparatus)に関する。無線通信装置は、セル識別子に少なくとも部分的に基づいて１つまたは複数のアンテナのためのＣＣＦＩデータを拡散するために帯域幅の部分を選択し、帯域幅の部分上でＣＣＦＩデータを送信するように構成された少なくとも１つのプロセッサを含むことができる。無線通信装置はさらに、少なくとも1つのプロセッサに結合されたメモリを含むことができる。
【００１０】
さらに別の態様は、無線通信ネットワークにおいて制御チャネルフォーマット情報を送信する無線通信装置に関する。無線通信装置は、その後に送信される制御チャネルの構造を定義する、ＣＣＦＩデータを生成するための手段、を備えることができる。無線通信装置は、セル識別子にしたがって帯域幅上で再使用可能にシフトすること(reusably shifting)に少なくとも部分的に基づいてＣＣＦＩデータが拡散される、帯域幅の部分を選択するための手段と、帯域幅の選択された部分上で、ＣＣＦＩデータを送信するための手段と、をさらに含むことができる。
【００１１】
さらに別の態様は、コンピュータプログラムプロダクト(computer program product)に関しており、そしてそれは、１つまたは複数のアンテナ上でその後に送信される制御チャネルの構造を定義する、制御チャネルフォーマットインジケータ（ＣＣＦＩ）データを少なくとも１つのコンピュータに生成させるためのコードを含むコンピュータ可読媒体(computer-readable medium)を有することができる。コンピュータ可読媒体はまた、セル識別子にしたがって使用されるサブキャリアをシフトすることに少なくとも部分的に基づいてＣＣＦＩデータが拡散される、帯域幅のサブキャリアを少なくとも１つのコンピュータに選択させるためのコードを備えることができる。さらに、コンピュータ可読媒体は、選択された帯域幅のサブキャリア上でＣＣＦＩデータを少なくとも１つのコンピュータに送信させるためのコードを備えることができる。
【００１２】
さらなる態様にしたがって、無線通信ネットワークにおいて制御チャネルフォーマット情報を受信するための方法が提供されている。本方法は、送信セル(transmitting cell)から、時間送信インターバル(time transmit interval)（ＴＴＩ）における帯域幅の初期部分(an initial portion  of bandwidth)を受信すること、を備えることができる。本方法は、帯域幅の部分にわたってＣＣＦＩデータの周波数位置を検出することと(detecting frequency location of CCFI data throughout the portion of bandwidth)、帯域幅の部分におけるＣＣＦＩデータの位置に少なくとも部分的に基づいて送信セルを識別することと(identifying the transmitting cell based at least in part on the location of CCFI data in the portion of bandwidth)、をさらに含むことができる。
【００１３】
別の態様は、無線通信装置に関する。無線通信装置は、受信信号においてＣＣＦＩデータの周波数位置を検出し、周波数位置に少なくとも部分的に基づいてＣＣＦＩデータの送信機を識別するように構成された少なくとも１つのプロセッサを含むことができる。無線通信装置はまた、少なくとも1つのプロセッサに結合されたメモリを含むことができる。
【００１４】
さらに別の態様は、無線通信ネットワークにおいて制御チャネルフォーマット情報を受信するための無線通信装置に関する。無線通信装置は、帯域幅の受信部分にわたってＣＣＦＩデータの周波数位置を決定するための手段、を備えることができる。無線通信装置は、帯域幅の部分におけるＣＣＦＩデータの位置に少なくとも部分的に基づいて送信セルを識別するための手段、をさらに含むことができる。
【００１５】
さらに別の態様は、コンピュータプログラムプロダクトに関しており、そしてそれは、送信セルからＴＴＩにおける帯域幅の初期部分を少なくとも１つのコンピュータに受信させるためのコード、を含んでいるコンピュータ可読媒体を有することができる。コンピュータ可読媒体はまた、帯域幅の部分にわたってＣＣＦＩデータの周波数位置を少なくとも１つのコンピュータに検出させるためのコード、を備えることができる。さらにコンピュータ可読媒体は、帯域幅の部分におけるＣＣＦＩデータの位置に少なくとも部分的に基づいて送信セルを少なくとも１つのコンピュータに識別させるためのコード、を備えることができる。
【００１６】
前述及び関連する目的の実現のために、１つまたは複数の実施形態は、下記で十分に説明され、特に特許請求の範囲において指摘された、特徴を備える。下記の説明及び添付図面は、１つまたは複数の実施形態のある説明のための態様を詳細に記載している。しかしながら、これらの態様は、様々な実施形態の原理が使用されることができる、様々な方法のほんのいくつかを示しており、説明された実施形態は、すべてのそのような態様およびそれらの同等物(equivalents)を含むように意図されている。
【図面の簡単な説明】
【００１７】
【図１】図１は、ここにおいて記載された様々な態様にしたがった無線通信システムの図である。
【図２】図２は、無線通信環境内の使用のための例示的な通信装置の図である。
【図３】図３は、選択された周波数上でＣＣＦＩデータ及び／またはＤＬ ＡＣＫを通信することを果たす例示的な無線通信システムの図である。
【図４】図４は、ＣＣＦＩ及び／またはＤＬ ＡＣＫデータを送信するための周波数を選択するための例示的な構成の図である。
【図５】図５は、ＣＣＦＩ及び／またはＤＬ ＡＣＫデータのための周波数を選択することを容易にする例示的な方法の図である。
【図６】図６は、周波数選択的ＣＣＦＩデータ及び／またはＤＬ ＡＣＫ(frequency selective CCFI data and/or DL ACK)を受信し、解釈することを容易にする例示的な方法の図である。
【図７】図７は、ＣＣＦＩデータ及び／またはＤＬ ＡＣＫを解釈することを容易にする例示的なモバイルデバイスの図である。
【図８】図８は、周波数選択的ＣＣＦＩデータ及び／またはＤＬ ＡＣＫを送信することを容易にする例示的なシステムの図である。
【図９】図９は、ここにおいて説明されている様々なシステム及び方法に関連して使用されることができる例示的な無線ネットワーク環境の図である。
【図１０】図１０は、周波数選択的ＣＣＦＩデータ及び／またはＤＬ ＡＣＫを生成し送信する例示的なシステムの図である。
【図１１】図１１は、ＣＣＦＩデータ及び／またはＤＬ ＡＣＫの位置を決定し、送信セルを識別する例示的なシステムの図である。
【詳細な説明】
【００１８】
様々な実施形態は、図面を参照して説明されており、ここで、同様の参照数字は、全体を通して、同様のエレメントを指すように使用される。以下の説明においては、説明の目的のために、非常に多くの具体的な詳細な説明が、１つまたは複数の実施形態の十分な理解(thorough understanding)を提供するために記載されている。それは、明白かもしれないけれども、そのような実施形態（単数または複数）は、これらの具体的な詳細なしで実施されることができる。他の例において、よく知られたストラクチャおよびデバイスは、１つまたは複数の実施形態を説明することを容易にするために、ブロック図の形式で示されている。
【００１９】
本願で使用されているように、用語「コンポーネント(component)」、「モジュール(module)」、「システム(system)」、および同様なものは、コンピュータ関連のエンティティ(a computer-related entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行しているプロセス、プロセッサ、オブジェクト、実行ファイル(executable)、実行スレッド(thread of execution)、プログラム、および／またはコンピュータ、であってもよい。例として、コンピューティングデバイス上で実行しているアプリケーションと該コンピューティングデバイスの両方は、コンポーネントであってもよい。１つまたは複数のコンポーネントは、実行のプロセスおよび／またはスレッド内に存在(reside)することができ、また、コンポーネントは、１つのコンピュータ上で局在化されてもよいし、および／または２つ以上のコンピュータの間で分散され（distributed）てもよい。さらに、これらのコンポーネントは、保存された様々なデータ構造を有している様々なコンピュータ可読メディアから実行することが出来る。コンポーネントは、ローカルな、および／または、遠隔のプロセスで、例えば、１つまたは複数のデータパケット（例、ローカルシステム、分散システムにおいて、および／または、信号を経由して他のシステムを備えたインターネットのような有線あるいは無線ネットワーク全体にわたって、別のコンポーネントと相互作用している１つのコンポーネントからのデータ）を有している信号に従って、通信することが出来る。
【００２０】
さらに、様々な実施形態は、モバイルデバイスに関連して、ここに説明されている。モバイルデバイスは、システム、加入者ユニット、加入者局、モバイル局、モバイル、遠隔局、遠隔端末、アクセス端末、ユーザ端末、端末、無線通信デバイス、ユーザエージェント、ユーザデバイス、あるいはユーザ機器（ＵＥ）とも呼ばれることができる。モバイルデバイスは、セル電話、コードレス電話、セッションイニシエーションプロトコル（ＳＩＰ）電話、無線ローカルループ（ＷＬＬ）局、携帯情報端末(personal digital assistant)（ＰＤＡ）、無線接続機能を有しているハンドヘルドデバイス、コンピューティングデバイス、あるいは、無線モデムに接続された他のプロセッシングデバイス、であってもよい。さらに、様々な実施形態は、基地局に関連して、ここにおいて説明されている。基地局は、モバイルデバイス（単数または複数）と通信するために使用されることができ、また、アクセスポイント、ノードＢ、 、進化したノードＢ（ｅＮｏｄｅＢあるいはｅＮＢ）、基地トランシーバ局（ＢＴＳ）、あるいは、いくつかの他の用語でも呼ばれることができる。
【００２１】
さらに、ここにおいて説明される様々な態様あるいは特徴は、スタンダードプログラミング(standard programming)および／または工学技術(engineering techniques)を使用して、方法、装置、あるいは製造品(article of manufacture)としてインプリメントされることができる。ここにおいて使用されているような用語「製造品(“article of manufacture”)」は、いずれのコンピュータ可読デバイス、キャリア、あるいはメディアからアクセス可能なコンピュータプログラムを含むように意図されている。例えば、コンピュータ可読メディアは、限定されてはいないが、磁気保存デバイス（例えば、ハードディスク、フロッピー（登録商標）ディスク、磁気ストリップ(magnetic strips）等）、光学ディスク（例えば、コンパクトディスク（ＣＤ）、デジタル汎用ディスク（ＤＶＤ）等）、スマートカード、及びフラッシュメモリデバイス（例えば、ＥＰＲＯＭ、カード、スティック、キードライブ等）を含むことができる。さらに、ここにおいて説明されている様々なストレージ媒体は、１つまたは複数のデバイス、および／または、情報を保存するための他のマシン可読媒体を表すことができる。用語「マシン可読媒体(machine-readable medium)」は、限定されていないが、無線チャネルと、インストラクション(instruction)（単数または複数）及び／またはデータを保存し、含み、及び／または、搬送することができる様々な他のメディアと、を含むことができる。
【００２２】
ここにおいて説明される技術は、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システム、単一搬送波周波数ドメイン多重化(single carrier frequency domain multiplexing)（ＳＣ−ＦＤＭＡ）及び他のシステム等のような様々な無線通信システムに使用されることができる。用語「システム(system)」と「ネットワーク(network)」は、しばしば互換性を持って使用されている。ＣＤＭＡシステムは、ユニバーサル地上波ラジオ接続(Universal Terrestrial Radio Access)（ＵＴＲＡ）、ＣＤＭＡ２０００等のような無線技術をインプリメントすることができる。ＵＴＲＡは、広帯域ＣＤＭＡ（Ｗ−ＣＤＭＡ）及び他の変数のＣＤＭＡを含む。ＣＤＭＡ２０００はＩＳ−２０００、ＩＳ−９５及びＩＳ−８５６規格をカバーする。ＴＤＭＡシステムは、モバイル通信のためのグローバルシステム(Global System for Mobile Communications)（ＧＳＭ）のような無線技術をインプリメントすることができる。ＯＦＤＭＡシステムは、進化したＵＴＲＡ(Evolved UTRA)（Ｅ−ＵＴＲＡ）、ウルトラモバイルブロードバンド(Ultra Mobile Broadband)（ＵＭＢ）、ＩＥＥＥ８０２．２０、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）等のような無線技術をインプリメントすることができる。ＵＴＲＡ及びＥ―ＵＴＲＡは、ユニバーサルモバイルテレコミュニケーションシステム(Universal Mobile Telecommunication System)（ＵＭＴＳ）の一部である。３ＧＰＰロングタームエボリューション（ＬＴＥ）は、Ｅ−ＵＴＲＡを使用するＵＭＴＳのアップカミングリリース(upcoming release)であり、そしてそれは、ダウンリンク上でＯＦＤＭＡを、アップリンク上でＳＣ−ＦＤＭＡを、利用する。ＵＴＲＡ、Ｅ−ＵＴＲＡ、ＬＴＥ及びＧＳＭは「第３世代パートナーシッププロジェクト」（３ＧＰＰ）と名付けられた組織からの文書において説明されている。ＣＤＭＡ２０００及びＵＭＢは「第３世代パートナーシッププロジェクト２」（３ＧＰＰ２）と名付けられた組織からの文書において説明されている。
【００２３】
図１を参照すると、無線通信システム１００は、ここに提示された様々な実施形態にしたがって図示されている。システム１００は、マルチプルアンテナグループ(multiple antenna groups)を含むことができる基地局１０２を備える。例えば、１つのアンテナグループは、アンテナ１０４及び１０６を含むことができ、別のグループは、アンテナ１０８及び１１０を備えることができ、そしてさらなるグループは、アンテナ１１２及び１１４を含むことができる。２つのアンテナが各アンテナグループについて図示されているが、より多くのアンテナあるいはより少ないアンテナが、各グループのために使用されることができる。基地局１０２は、送信機チェイン及び受信機チェインをさらに含むことができ、それらのそれぞれは、当業者によって理解されるように、代わりに、信号送信及び受信に関連づけられた複数のコンポーネント（例、プロセッサ、モジュレータ、マルチプレクサ、デモジュレータ、デマルチプレクサ、アンテナ、等）を備えることができる。
【００２４】
基地局１０２は、モバイルデバイス１１６及びモバイルデバイス１２２のような１つまたは複数のモバイルデバイスと通信することができるが、基地局１０２がモバイルデバイス１１６及び１２２と同様な、実質的にはいずれの数のモバイルデバイスと通信することができるということは理解されるべきである。モバイルデバイス１１６及び１２２は、例えば、セルラ電話、スマートフォン、ラップトップ、ハンドヘルド通信デバイス、ハンドヘルドコンピューティングデバイス、衛星ラジオ、グローバルポジショニングシステム、ＰＤＡｓ、及び／または、無線通信システム１００上で通信するためのいずれの適切なデバイス、であることができる。図示されているように、モバイルデバイス１１６はアンテナ１１２及びアンテナ１１４と通信しており、なお、アンテナ１１２及び１１４は、順方向リンク１１８上でモバイルデバイス１１６に情報を送信し、逆方向リンク１２０上でモバイルデバイス１１６から情報を受信する。さらに、モバイルデバイス１２２は、アンテナ１０４及び１０６と通信しており、なお、アンテナ１０４及び１０６は、順方向リンク１２４上でモバイルデバイス１２２に情報を送信し、逆方向リンク１２６上でモバイルデバイス１２２から情報を受信する。周波数分割デュプレックス(frequency division duplex)（ＦＤＤ）システムでは、例えば、順方向リンク１１８は、逆方向リンク１２０によって使用されるものとは異なる周波数帯を利用することができ、順方向リンク１２４は、逆方向リンク１２６によって使用されるものとは異なる周波数帯を使用することができる。さらに、時分割デュプレックス(time division duplex)（ＴＤＤ）システムでは、順方向リンク１１８と逆方向リンク１２０は、共通の周波数帯を利用することができ、順方向リンク１２４と逆方向リンク１２６は、共通の周波数帯を利用することができる。
【００２５】
アンテナの各グループ及び／またはそれらが通信するように指定されたエリアは、基地局１０２のセクタと呼ばれることができる。例えば、アンテナグループは、基地局１０２によってカバーされたエリアのセクタにおいて、モバイルデバイスに通信するように設計されることができる。順方向リンク１１８及び１２４上の通信において、基地局１０２の送信アンテナは、モバイルデバイス１１６及び１２２のための順方向リンク１１８及び１２４の信号対雑音比を改善するためにビームフォーミングを利用することができる。さらに、基地局１０２は、関連サービスエリアを通じてランダムに散在されたモバイルデバイス１１６及び１２２に送信するためにビームフォーミングを使用しており、近隣セルにおけるモバイルデバイスは、すべてのそのモバイルデバイスに対して単独のアンテナを通じて送信している基地局と比較してより少ない干渉を受けやすい可能性がある。さらに、モバイルデバイス１１６及び１２２は、図示されているようにピアツーピアかアドホック技術(a peer-to-peer or ad hoc technology)を使用して、互いに直接通信することができる。
【００２６】
一例によると、システム１００は、マルチプルインプットマルチプルアウトプット（ＭＩＭＯ）通信システムであることができる。さらに、システム１００は、ＦＤＤ、ＴＤＤ、及び同様なもののような、通信チャネル(例えば順方向リンク、逆方向リンク、…)を分割するために、実質的にはいずれのタイプのデュプレキシング技術(duplexing technique)を利用することができる。さらに、１つまたは複数の多重化スキーム(例、ＯＦＤＭ)は、多数の周波数サブキャリア上でマルチプル信号を変調するために使用されることができ、サブキャリアは、１つまたは複数の通信チャネルを形成するために互いと関連づけられることができる。一例において、チャネルの送信機、例えば基地局１０２及び／またはモバイルデバイス１１６及び１２２は、送信機との通信を同期化することあるいはチャネルを推定することを手助けするために、パイロットあるいは基準信号をさらに送信することができる。チャネルは、通信データ及び／または制御データを送信することに関連することができ、一例において、制御データは、通信チャネルについての品質メトリックを規定することができる。一例において、チャネルは、双方がダウンリンク１１８及び／または１２４上で送信される、物理ダウンリンク制御チャネル(physical downlink control channel)(ＰＤＣＣＨ)と、物理ダウンリンク共有チャネル(physical downlink shared channel)（ＰＤＳＣＨ）でありうる。
【００２７】
制御チャネルの使用を容易にするために、制御チャネルフォーマットインジケータ（ＣＣＦＩ）は、制御チャネル（及び／または共有の通信データチャネル）の構造を説明するために送信されることができる。この点では、ＣＣＦＩは、与えられた時間送信インターバル（ＴＴＩ）の第１のＯＦＤＭ記号において送信されることができ、したがって、受信された第１アイテムのうちの１つである(so it is one of the first items received)。したがって、例えば、基地局１０２からモバイルデバイス１１６へとダウンリンク１１８上で送信されるＣＣＦＩは、制御チャネルを備えている後続ＯＦＤＭ記号の数(a number of subsequent OFDM symbols)を示すことができる。この情報を使用して、モバイルデバイス１１６は、後続制御チャネルのための構造を決定することができる。
【００２８】
一例によると、制御チャネルを備えている後続サブキャリアの数を示すためにＣＣＦＩにおいて送信された数は、ｎであることができ、そして、多数のビットは、ｎを送信するのに必要とされうる。例えば、制御チャネルタイプに特有の、あるいは、実質的にはすべての制御チャネルに関する、ｎがあることができるということは理解されるべきである。一例において、ｎが、１、２あるいは３でありうる場合、２ビットが数字(number)を送信するために必要とされており、ＣＣＦＩは、四位相変調(quadrature phase shift keying)（ＱＰＳＫ）記号の多数のシーケンス（例えば、一例としては、１６ＱＰＳＫ記号の４つのシーケンス）の上へビットをマッピングすることによって符号化されることができる。さらに、ＣＣＦＩは、第１のＯＦＤＭ記号についてのシステム帯域幅に及んでいる、サブキャリア上で拡散されることができる。このことは、サブキャリアの特定隣接ペアにＣＣＦＩをマッピングすることを含むことができ、選択されたサブキャリアは、セル識別子に対して特有であることができる（例えば、セル特有シフトあるいは他の再使用メカニズムにしたがっている）。さらに、ＣＣＦＩは、特にセル識別子にスクランブルされることができる。さらに、一例においては、ＣＣＦＩは、セル識別子にしたがって、与えられたＴＴＩについてホップする(hop)ことができる。
【００２９】
一例において、ダウンリンク(ＤＬ)確認応答(ＡＣＫ)制御チャネルは、第１のＯＦＤＭ記号において規定されたＣＣＦＩデータにしたがって送信されることができる。例えば、ＣＣＦＩは、ＤＬ ＡＣＫチャネルを備えている後続ＯＦＤＭ記号の数(a number of subsequent OFDM symbols)を規定することができる。続いて、ＤＬ ＡＣＫデータは、多数のＱＰＳＫ記号に変調され、次のn個のＯＦＤＭ記号上で拡散され（例、アダマール／バイナリ、離散フーリエ変換（ＤＦＴ）拡散、及び／または同様なもの）、そして、ＣＣＦＩデータと同様にスクランブルされることができる。さらに、各値のｎが共通のあるいは固有の反復要因を有することができる場合には、ＤＬ ＡＣＫデータを送信するために周波数を選択することにおいて反復が使用されることができる。この情報から、制御チャネルのための利用可能な送信帯域幅は、計算された利用されることができる。受信側では、説明されているように、モバイルデバイス１１６及び/または１２２は、第１のＯＦＤＭ記号におけるＣＣＦＩデータから制御チャネル構造を決定することができ、それに応じて、後続ＯＦＤＭ記号からチャネルを復号する。
【００３０】
図２に戻ると、無線通信環境内の使用のための通信装置２００が図示されている。通信装置２００は、基地局あるいはその一部分、モバイルデバイスあるいはその一部分、あるいは、無線通信環境で送信されるデータを受信する実質的にはいずれの通信装置であることができる。通信装置２００は、制御チャネルを備えるために決定された数の後続ＯＦＤＭ記号(a determined number of subsequent OFDM symbols)に少なくとも部分的に基づいてＣＣＦＩを生成するＣＣＦＩデファイナ（CCFI definer）２０２と、セル識別子にしたがってＣＣＦＩをスクランブルするＣＣＦＩスクランブラ(CCFI scrambler)２０４と、与えられたＴＴＩについて第１のＯＦＤＭ記号の１つまたは複数の隣接サブキャリアのペアＣＣＦＩをマッピングするＣＣＦＩ周波数マッパー２０６と、を含むことができる。
【００３１】
一例によると、通信装置２００は、ここに説明されているような構造情報が送信されることができる、１つまたは複数の制御及び／またはデータチャネルを定義することができる。例えば、ＣＣＦＩデファイナ２０２は、１つまたは複数の制御チャネルを備えている後続ＯＦＤＭ記号の数を示すＣＣＦＩを作成することができ、一例では、ＣＣＦＩは、１つまたは複数のビットとして定義されることができる。ＣＣＦＩデファイナ２０２がＣＣＦＩにおける保存のために、追加あるいは代替情報を生成することができるということは理解されるべきである。ＣＣＦＩスクランブラ２０４は、セル特有のスクランブリングにしたがってＣＣＦＩをスクランブルすることができる（例えば、セル識別子に少なくとも部分的に基づいている、あるいは、セル識別子にマッピングされる）。さらに、ＣＣＦＩスクランブラ２０４、あるいは通信装置２００の別のコンポーネントは、多数のＱＰＳＫ記号上で、スクランブルされたＣＣＦＩを変調することができる。ＣＣＦＩ周波数マッパー２０６は、その送信のために、１つまたは複数の隣接サブキャリアのペア（あるいは単一サブキャリア、トリプレット、クアドプレット(quadruplets)等）に記号をマッピングすることができる。
【００３２】
例えば、ＣＣＦＩ周波数マッパー２０６は、構造が単独の送信アンテナ及び／または、２つ及び４つの送信アンテナのためのスペース周波数ブロックコード（ＳＦＢＣ）と互換性のあるように、サブキャリアの隣接ペアを使用することができる。さらに、与えられたＴＴＩにおける第１のＯＦＤＭ記号を利用することによって、ＣＣＦＩ送信の受信機は、記載されているような制御チャネルがそこに備えられているかぎり、後続ＯＦＤＭ記号に関する情報を認識することができる。一例において、ＴＴＩのための第１のＯＦＤＭ記号は、さらに、通信装置２００の１つまたは複数のアンテナ（示されていない）のための基準信号を備えることができる。ＣＣＦＩ周波数マッパー２０６は、例えば１つまたは複数のＴＴＩｓの第１のＯＦＤＭ記号における（異なるあるいは同じアンテナの）基準信号間の隣接サブキャリアにＣＣＦＩ情報をマッピングすることができる。
【００３３】
さらに、一例において、ＣＣＦＩ周波数マッパー２０６は、多数の有用なサブキャリア上でＣＣＦＩを送信するように使用されたサブキャリアをシフトすることができ、このことは、与えられたセルのために選択されたシフティングあるいは再使用スキームの部分に少なくとも部分的に基づいて、セル識別情報を提供することができる。多数の利用可能なシフティングあるいは再使用スキームはサブキャリアのセットへの帯域幅の分離と、伝送のための利用可能な帯域幅に少なくとも基づくことができるということが理解されるべきである。例えば、ＣＣＦＩ周波数マッパー２０６は、多数の利用可能なサブキャリアを、３つの隣接サブキャリアのセットであるトリプレットに分けることができる。ＣＣＦＩを送信するのに使用されたＱＰＳＫ変調記号の数によって、必要とされる数のサブキャリアのペアは、第１のＯＦＤＭ記号においてＣＣＦＩを送信するために決定されることができ、また、サブキャリアのペアは、より少ないセルが同じ周波数において及び／または同じ時間においてＣＣＦＩを送信することを確実にするために、異なるトリプレットにおいて送信されることができる。例えば、１６ＱＰＳＫ変調記号が、与えられたトリプレットにおいてＣＣＦＩ隣接周波数サブキャリアのペアを送信するために使用される場合、７５の有用サブキャリア（２５トリプレット）については、再使用要因は、下記でさらに説明されるように、効果的にＣＣＦＩを送信するためにトリプレットを同時に使用する３つの異なる方法がありうるので、３であることができる。さらに、ＤＬ ＡＣＫは、セル間干渉を低減するために、このマッピングあるいは同様のマッピングを利用することができる。したがって、ＤＬ ＡＣＫを送信するために使用された与えられた数のＱＰＳＫ記号については、データは、多数のトリプレット上で拡散されることができ、異なるセルのための帯域幅（例えばＯＦＤＭ記号）の後続的な部分(subsequent portions)におけるトリプレットの中で、再使用されあるいはシフトされることができる。さらに、より大きな拡散要因は、グループにおける隣接トリプレットの数(number of contiguous triplets)を増大させることによってＤＬ ＡＣＫ伝送のために使用されることができる。例えば、２トリプレットが利用される場合、ＤＬ ＡＣＫチャネルは、情報を送信するために２トリプレットグループ上で均等に拡散されることができる。
【００３４】
図３を参照すると、１つまたは複数の制御及び／またはデータチャネルを説明するためにＣＣＦＩを通信する無線通信システム３００が図示されている。システム３００は、モバイルデバイス３０４（及び／または、いずれの数の異なるモバイルデバイス（示されていない））と通信する基地局３０２を含む。基地局３０２は、順方向リンクあるいはダウンリンクチャネル上でモバイルデバイス３０４に対して情報を送信することができ、さらなる基地局３０２は、逆方向リンクあるいはアップリンクチャネル上でモバイルデバイス３０４から情報を受信することができる。さらに、システム３００は、ＭＩＭＯシステムでありうる。さらに、基地局３０２において下記で示され記載されたコンポーネント及び機能は、一例において、モバイルデバイス３０４において、逆も然りで、提示されることができ、図示された構成は、説明の簡略化のためにこれらのコンポーネントを除いている。
【００３５】
基地局３０２は、後続制御チャネルを説明するためにＣＣＦＩデータを生成するＣＣＦＩデファイナ３０６と、いくつかのセル識別情報を提供するためにＣＣＦＩデータをスクランブルするＣＣＦＩスクランブラ３０８と、さらなるあるいは代替のセル識別情報を提供することができる、多数の周波数サブキャリア上でＣＣＦＩデータをマッピングすることができるＣＣＦＩ周波数マッパー３１０と、を含む。一例において、説明されているように、ＣＣＦＩ周波数マッパー３１０は、ＴＴＩにおける第１のＯＦＤＭ記号のサブキャリア上でＣＣＦＩデータをマッピングすることができる。この点では、モバイルデバイス３０４は、ＣＣＦＩを最初に受信することができ、そして、それは後続ＯＦＤＭ記号のための制御チャネルフォーマットを決定するために利用されることができる。
【００３６】
モバイルデバイス３０４は、マッピングされた周波数の位置からＣＣＦＩデータを復号することができるＣＣＦＩデコーダ３１４と、ＣＣＦＩがマッピングされる周波数におけるＣＣＦＩデータの位置を決定することができるＣＣＦＩ検出器３１２と、を含む。例えば、モバイルデバイス３０４は、ＣＣＦＩデータを備えている、第１のＯＦＤＭ記号のような帯域幅を受信することができる。ＣＣＦＩ検出器３１２は、帯域幅におけるＣＣＦＩデータの位置を決定することができ、ＣＣＦＩデコーダ３１４は、ＣＣＦＩデータを解釈することができる。例えば、説明されているように、ＣＣＦＩ周波数マッパー３１０は、ＣＣＦＩデータを送信するためにＴＴＩにおける第１のＯＦＤＭ記号（あるいは実質的には任意のＯＦＤＭ記号あるいはＴＴＩにおける記号）の隣接サブキャリアのペアを割り当てることができる。一例において、ＣＣＦＩデータは、基地局３０２の与えられたアンテナ（示されていない）のための１つまたは複数の基準信号間にあることができる。ＣＣＦＩ周波数マッパー３１０は、ＣＣＦＩデータを送信するのに必要とされたあるいは望まれた多数のＱＰＳＫ記号を占める(to account for)、ＯＦＤＭ記号の隣接サブキャリアのペア（あるいはトリプレット、クアドプレット、等）を通じてデータをさらに拡散することができる。ＣＣＦＩ検出器３１２は、ＯＦＤＭ記号あるいはデータを備えている記号を受信するときに、どのサブキャリアがデータを送信したのかを決定し、それにしたがって、ＣＣＦＩデコーダ３１４を使用してデータを復号し、及び／または、どのサブキャリアが送信において使用されたかに少なくとも部分的に基づいてその送信セルを決定することができる。さらに、モバイルデバイス３０４は、後続制御及び／またはデータチャネル（例えば、制御チャネルを備えている後続ＯＦＤＭ記号の数）の構造に関連づけられた情報を決定するために、復号されたＣＣＦＩデータを使用することができる。
【００３７】
図４に戻ると、ＣＣＦＩデータが送信される複数のセルについての例示的なＯＦＤＭ記号４００及び４０２が図示されている。ＯＦＤＭ記号は、代替的に、実質的にはいずれの分割された帯域幅であることができるので部分は別個に定義され、解釈されることができる、ということが理解されるべきである。ＯＦＤＭ記号４００は、ＣＣＦＩ情報が各セルから送信される、異なるセルからの４つのＯＦＤＭ記号を表すことができる。この点では、例えば、ＯＦＤＭ記号は、４つのセルのそれぞれについて与えられたＴＴＩにおいて最初に送信されたものであることができる。基準信号４０４及び４０６は、示されているような多数のサブキャリア上で、各アンテナ（この場合では２つの送信アンテナ）の各セルにおいて送信される。この例において、ＣＣＦＩデータは、隣接ペア４０８のような、ＯＦＤＭ記号上でサブキャリアの隣接ペアにおいて、送信されることができる。選択されたサブキャリアは、利用可能なサブキャリアの数（あるいはサブキャリアのセット、例えばトリプレット）と、ＣＣＦＩデータを送信するのに必要とされたＱＰＳＫ記号の数の関数としてシフトされることができる。
【００３８】
ＯＦＤＭ記号４００の例は、例えば、７５の利用可能なサブキャリア（すなわち、２５トリプレット）上で必要とされる１６ＱＰＳＫ記号について構成されることができる。この例において、ＣＣＦＩデータを備えているサブキャリアのペアは、与えられたＯＦＤＭ記号において離れた３トリプレットに均一に拡散されている。このことは、８ペアが最大の再使用を保持しながら与えられたＯＦＤＭ記号上で送信することを可能にする。したがって、さらなるセルについてのＯＦＤＭ記号は、４００で示されているように、ＣＣＦＩデータに多数のトリプレット（例、示されているように＋１、＋２、あるいは＋３）を送信するように使用されたサブキャリアをシフトすることができる。このことは、与えられたセルについての識別情報をさらに提供することができる。さらなる拡散及びシフティングスキーム(additional spreading and shifting schemes)が、１つまたは複数の基地局、セクタあるいはそのアンテナに関連セルについての固有の識別情報に一致するように、一例において、使用されることができる、ということが理解されるべきである。上記で説明されるように、ＤＬ ＡＣＫチャネルは、セル間干渉を減らすために、この構成あるいは同様な構成をさらに使用することができる。
【００３９】
ＯＦＤＭ記号４０２の例は、４つの送信アンテナを有するセクタあるいは基地局の４つのセルに関することができる。この例において、基準信号４１０及び４１２は、４１４のＣＣＦＩデータ及び４１６の異なるＣＣＦＩデータと共に、ＯＦＤＭ記号上で送信されており、そしてそれは、記載されているようなＴＴＩの第１のＯＦＤＭ記号であることができる。示されてはいないが、基準信号は、また、アンテナ３とアンテナ４のためにも送信されることができるということが理解されるべきである。例えば、４１４のＣＣＦＩデータは、２つのアンテナ（例えば１及び３）のためにフォーマット化することを制御するように関連づけることができるが、４１６のＣＣＦＩデータは、他の２つのアンテナ（例えば２及び４）のためにフォーマット化することを制御するように関連づけることができる。さらに、ＣＣＦＩデータが送信されていない２つのアンテナは、アンテナペア（例、１／３及び２／４）にわたって周波数切り替えの送信ダイバーシティを実行するためにサブキャリアのペア上でブランクにする(blank)ことができる。同様に、ＣＣＦＩデータは、この例において、ＯＦＤＭ記号にわたって、拡散されることができる。したがって、１６ＱＰＳＫ記号がＣＣＦＩデータの各部分を送信するために必要とされる場合、示された例は、３トリプレットごとに各ＣＣＦＩデータのサブキャリアのペアを均一に間隔をおき(evenly spacing)、そして、各トリプレットにおいて各アンテナのペアからのＣＣＦＩデータ送信を変更している(alternating)、実質的には７５のサブキャリア（２５トリプレット）についてよく機能することができる。さらに、２つの送信アンテナのケースについて説明されるように、シフティングは、同様に利用されることができる。同様のスキームが、さらにデータサイズ及び利用可能なサブキャリアの数によって、より多数のあるいはより少数のアンテナ及び／またはセルについて展開されることができるということは理解されるべきである。
【００４０】
図５−６を参照すると、無線通信ネットワークにおいてＣＣＦＩデータを送信し受信することに関連する方法が図示されている。説明の簡潔化の目的のために、一連の動作(acts)として方法が示され、説明されているが、いくつかの動作は、１つ以上の実施形態にしたがって、ここに示され説明されるのとは異なる順序、および／または、他の動作と同時に発生することがあり得るので、方法は、動作の順序によって限定されない、ということが、理解され、かつ認識されるべきである。例えば、当業者は、方法が、状態図におけるような、一連の相互に関係づけられた状態あるいはイベントとして代わりに表されることが出来るであろうということを理解し、そして認識するだろう。さらに、必ずしも示されたすべての動作が、１つまたは複数の実施形態にしたがって方法をインプリメントする(implement)ために必要とされなくてもよい。
【００４１】
図５を戻ると、例えば関連セルを識別するためにＣＣＦＩデータを送信することを容易にする方法５００が表示されている。５０２で、ＣＣＦＩデータが生成され、そしてそれは、後続制御チャネルの構造に関連することができる。この点で、ＣＣＦＩデータは、受信機が制御チャネル及び／またはデータチャネルの構造を知るように、制御チャネルの前に送信されることができる。５０４で、周波数の位置は、ＣＣＦＩデータを送信するために選択されている。説明されているように、位置は、利用可能な帯域幅のサイズと、ＣＣＦＩデータを送信するために必要とされたＱＰＳＫ記号の数とに少なくとも部分的に基づくことができる。一例において、帯域幅は、複数のサブキャリアを有しているＴＴＩの初期ＯＦＤＭ記号を備えることができる。したがって、選択されたサブキャリアは、説明されているように、利用可能な量に依存することができ、一例では、基準信号間のサブキャリアは、ＣＣＦＩデータを送信するために選択されることができる。
【００４２】
５０６で、周波数位置は、１つまたは複数の異なるセルについてシフトされることができる。このことは、より少ないセルが同じ周波数で、及び／または、同じ時間にＣＣＦＩを送信しているということを保証し、さらに、周波数位置のシフティングは、送信セルを識別するために、少なくとも部分的に、受信機によって使用されることができる。ＯＦＤＭ記号の例において、利用可能なサブキャリアは、記載されているようなトリプレットのような、隣接の集まりにグループ化されることができる。したがって、ＣＣＦＩデータは、トリプレットの中で、均一に間隔を置くことができる。与えられたセルについて、ＣＣＦＩデータは、上記で記載されるようなセルについての識別要因(an identifying factor)を提供しているトリプレットのオフセットにシフトされることができる。さらに、ＣＣＦＩデータは、セル識別情報を提供するようにスクランブルされることができる。５０８で、ＣＣＦＩデータは選択された周波数の位置にわたって送信される。
【００４３】
図６に戻って、ＣＣＦＩデータを受信することと、データの周波数位置に基づいてその送信機を識別することと、を容易にする方法６００が図示されている。６０２で、ＴＴＩについて初期信号が受信される。説明されているように、これは、複数のサブキャリアを備えている初期ＯＦＤＭ記号でありうる。サブキャリアはさらに、ＣＣＦＩデータと、基準信号を備えることができる。６０４で、ＣＣＦＩデータの位置は、決定されることができ、これは、例えば、これはサブキャリアの位置でありうる。６０６で、ＣＣＦＩデータのスクランブリングが決定される。この情報を使用して、６０８で、ＣＣＦＩデータを送信しているセルは、上記でさらに説明されるように固有に識別されることができる。例えば、ＣＣＦＩデータは、識別要因を提供している他の送信された記号と比較して、ＯＦＤＭ記号においてシフトされることができる。さらに、ＣＣＦＩデータは、後続制御及び／またはデータチャネルに関連づけられた態様を決定するために使用されることができる。
【００４４】
ここにおいて記載されている１つまたは複数の態様にしたがって、説明されるようにＣＣＦＩデータ位置及び／またはスクランブリングに少なくとも部分的に基づいて送信セルを決定することに関する推論がなされうるということは、理解されるであろう。ここに使用されるように、用語「推論する(infer)」あるいは「推論(inference)」は、イベントおよび／またはデータを介してキャプチャされるように１セットの観察から、システム、環境、および／またはユーザ、の状態を論証する、あるいは推論するプロセスを一般的に指す。推論は、特定のコンテキストあるいは動作を識別するように利用されることができる、あるいは、例えば、状態についての確立分布を生成することができる。推論は、蓋然的であることができ、−すなわち、対象の状態についての確率分布の計算は、データ及びイベントの考慮に基づいている。推論はまた、１セットのイベントおよび／またはデータからより高いレベルのイベントを構成するために利用される技術を指すことが出来る。そのような推論は、イベントが時間近接性に相関していようがしていまいが、また、イベント及びデータが１あるいはいくつかのイベント及びデータソースから生じようが生じまいが、１セットの観察されたイベントおよび／または保存されたイベントデータから新しいイベントあるいは動作の構築を結果としてもたらす。
【００４５】
図７は、ＣＣＦＩデータを受信し解釈することを容易にするモバイルデバイス７００の図である。モバイルデバイス７００は、例えば受信アンテナ（示されてはいない）から信号を受信し、受信信号に関して特定の動作を実行し（例、フィルタにかけ、増幅し、ダウンコンバートする等）、そして、サンプルを得るために条件づけられた信号をデジタル化する、受信機７０２を備えている。受信機７０２は、受信記号を復調することができるデモジュレータ７０４を備えることができ、そして、チャネル推定のためにそれらをプロセッサ７０６に提供することができる。プロセッサ７０６は、受信機７０２によって受信された情報を分析すること及び／または送信機７１６による送信のための情報を生成することの専属のプロセッサ、モバイルデバイス７００の１つまたは複数のコンポーネントを制御するプロセッサ、及び／または、受信機７０２によって受信される情報を分析し、送信機７１６による送信のための情報を生成し、そしてモバイルデバイス７００の１つまたは複数のコンポーネントを制御するプロセッサ、であることができる。
【００４６】
モバイルデバイス７００は、プロセッサ７０６に操作的に結合されており、そして、送信されるべきデータ、受信されたデータ、利用可能チャネルに関連した情報、分析された信号及び／または干渉強度に関連づけられたデータ、割り当てられたチャネル、パワー、レートあるいは同様なものに関連した情報、及び、チャネルを推定し、チャネルを介して通信するためのいずれの他の適切な情報、を保存することができる、メモリ７０８を備えている。メモリ７０８は、チャネル（例えば、パフォーマンスベースの、キャパシティベースの、等）を推定する及び／または使用することに関連づけられた、プロトコル及び／またはアルゴリズムをさらに保存することができる。
【００４７】
ここにおいて説明されたデータ保存（例、メモリ７０８）は、揮発性メモリあるいは不揮発性メモリのいずれかであることができ、あるいは、揮発性及び不揮発性の両方のメモリを含むことができるということは理解されるであろう。例として、限定ではないが、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能なＲＯＭ（ＥＥＰＲＯＭ）、あるいはフラッシュメモリ、を含むことができる。揮発性メモリは、ランダムアクセスメモリ（ＲＡＭ）を含むことができ、そしてそれは、外部キャッシュメモリとして作用する。例として、限定ではないが、ＲＡＭは、シンクロナスＲＡＭ(synchronous RAM)（ＳＲＡＭ）、動的ＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ ＳＤＲＡＭ）、エンハンスドＳＤＲＡＭ(enhanced SDRAM)（ＥＳＤＲＡＭ）、シンクリンクＤＲＡＭ(Synchlink DRAM)（ＳＬＤＲＡＭ）、及びダイレクトランバスＲＡＭ(direct Rambus RAM)（ＤＲＲＡＭ）、のようないくつかの形態において利用可能である。さらに、主題のシステム及び／または方法のメモリ７０８は、限定されることなく、これら及びいずれの他の適切なタイプのメモリを備えるように意図されている。
【００４８】
プロセッサ７０６及び/または受信機７０２は、受信された帯域幅からＣＣＦＩの周波数位置を決定することができるＣＣＦＩデータ検出器７１０と、ＣＣＦＩデータを復号することができるあるいは解釈することができるＣＣＦＩデータデコーダ７１２と、にさらに操作的に結合されることができる。例えば、受信機７０２は、ＣＣＦＩデータと他の情報（例えば、基準信号）を備えている、ＴＴＩにおける初期信号、例えば第１のＯＦＤＭ記号、を受信することができる。ＣＣＦＩデータ検出器７１０は、受信信号におけるＣＣＦＩデータについての周波数位置、例えばＯＦＤＭ記号におけるサブキャリア位置を決定することができる。この情報を使用して、ＣＣＦＩデータデコーダ７１２は、１つまたは複数の後続制御あるいはデータチャネルの構造を決定するためだけではなく、さらに、記載されているようなＣＣＦＩデータ（例えば、ＯＦＤＭ記号の使用されたサブキャリア位置）を送信するために使用された周波数の位置に少なくとも部分的に基づいて、ＣＣＦＩデータを送信しているセルの識別情報を決定するために、ＣＣＦＩデータを復号する。さらに、上記で示されるように、ＣＣＦＩデータはスクランブルされることができ、使用されたスクランブリングの検出は、送信セルをさらに識別することができる。モバイルデバイス７００はさらに、それぞれ、信号を、例えば基地局、別のモバイルデバイス等に変調し送信する、モジュレータ７１４と、送信機７１６とを備える。プロセッサ７０６から離れているように図示されているが、ＣＣＦＩデータ検出器７１０、ＣＣＦＩデータデコーダ７１２、デモジュレータ７０４、及び／またはモジュレータ７１４は、プロセッサ７０６あるいはマルチプルプロセッサ（示されていない）の一部であることができるということは理解されるべきである。
【００４９】
図８は、ＣＣＦＩデータを送信するために、周波数を生成し、選択することを容易にする、システム８００の図である。システム８００は、複数の受信アンテナ８０６を通じて１つまたは複数のモバイルデバイス８０４から信号（単数または複数）を受信する受信機８１０を備えた基地局８０２（例、アクセスポイント、・・・）と、送信アンテナ８０８を通じて１つまたは複数のモバイルデバイス８０４に対して送信する送信機８２４とを備えている。受信機８１０は、受信アンテナ８０６から情報を受信することができ、また、受信情報を復調するデモジュレータ８１２に操作的に関連づけられる。復調された記号は、図７に関連して上記で説明されているプロセッサと同様であることができるプロセッサ８１４によって分析されており、そして、それは、信号（例パイロット）強度及び／または干渉強度を推定することに関連した情報、モバイルデバイス（単数または複数）８０４（あるいは別個の基地局（示されていない））から送信あるいは受信される予定のデータ、及び／または、ここにおいて記載されている様々な動作及び機能を実行することに関するいずれの他の適切な情報、を保存するメモリ８１６に結合されている。プロセッサ８１４は、ＣＣＦＩデータをスクランブルするＣＣＦＩスクランブラ８２０に加えて、ＣＣＦＩデータを送信するために周波数位置を選択するＣＣＦＩ周波数マッパー８１８にさらに結合される。
【００５０】
一例によると、プロセッサ８１４あるいはそれに結合されたコンポーネントは、記載されるような後続制御チャネルの構造を説明する１つまたは複数のモバイルデバイス８０４に対して送信するために、ＣＣＦＩデータを生成することができる。ＣＣＦＩ周波数マッパー８１８は、ＣＣＦＩデータを送信することにおいて使用するために周波数位置を選択することができ、その選択された位置は、少なくとも部分的に、ＣＣＦＩデータが関連するセルを識別することができる。上記で記載されるように、ＣＣＦＩデータは、利用可能なサブキャリアの数と、ＣＣＦＩデータを送信するために必要とされたＱＰＳＫ記号の数に少なくとも部分的に基づいて、帯域幅（例えばＴＴＩの初期ＯＦＤＭ記号）を通じて均一に拡散されることができる。さらに、使用されるサブキャリアは、隣接ペアであることができ、また、データを送信しているセルによってシフトされることができる。さらに、ＣＣＦＩスクランブラ８２０は、ＣＣＦＩデータをスクランブルすることができ、そしてそれは、送信セルを識別するために、追加的にあるいは代替的に使用されることができる。さらに、プロセッサ８１４から離れているものとして図示されているが、ＣＣＦＩ周波数マッパー８１８、ＣＣＦＩスクランブラ８２０、デモジュレータ８１２、及び／またはモジュレータ８２２は、プロセッサ８１４あるいはマルチプルプロセッサ（示されていない）の一部であることができるということは理解されるべきである。
【００５１】
図９は、無線通信システム９００の例を示す。無線通信システム９００は、簡略のために１つの基地局９１０と１つのモバイルデバイス９５０を図示する。しかしながら、システム９００は、１以上の基地局、及び／または１以上のモバイルデバイスを含むことができるということは理解されるべきであり、なお、追加の基地局及び／またはモバイルデバイスは、下記で説明されている一例の基地局９１０とモバイルデバイス９５０と実質的には同じあるいは異なることができる。さらに、基地局９１０及び／またはモバイルデバイス９５０は、それらの間の無線通信を容易にするためにここで説明された、システム（図１−３、及び７−８）、構成（図４）、及び／または方法（図５−６）を利用することができるということは理解されるべきである。
【００５２】
基地局９１０では、多数のデータストリームについてのトラフィックデータは、送信（ＴＸ）データプロセッサ９１４に対して、データソース９１２から提供される。一例によると、各データストリームは、それぞれのアンテナ上で送信されることができる。ＴＸデータプロセッサ９１４は、コード化されたデータを提供するためにそのデータストリームについて選択された特定のコーディングスキームに基づいてトラフィックデータストリームをフォーマット化し、コード化し、そしてインタリーブする。
【００５３】
各データストリームについてコード化されたデータは、直交周波数分割多重化（ＯＦＤＭ）技術を使用して、パイロットデータで多重化されることができる。追加的あるいは代替的に、パイロット記号は、周波数分割多重化（ＦＤＭ）、時分割多重化（ＴＤＭ）、あるいは符号分割多重化（ＣＤＭ）であることができる。パイロットデータは、既知の方法で処理される典型的に既知データパターンであり、チャネル応答を推定するためにモバイルデバイス９５０において使用されることができる。各データストリームについて多重化されたパイロット及びコード化されたデータは、変調記号を提供するためにそのデータストリームについて選択される、特定の変調スキーム（例、二位相変調(binary phase shift keying)（ＢＰＳＫ）、四位相変調(quadrature phase shift keying)（ＱＰＳＫ）、Ｍ位相変調(M-phase-shift keying)（Ｍ−ＰＳＫ）、Ｍ直交振幅変調(M-quadrature amplitude modulation)（Ｍ−ＱＡＭ）等）に基づいて変調される（例えばシンボルマッピングされる）ことができる。各データストリームについてのデータレート、コーディング、及び変調は、プロセッサ９３０によって実行されるあるいは提供されるインストラクションによって決定されることができる。
【００５４】
データストリームについての変調記号は、ＴＸ ＭＩＭＯプロセッサ９２０に提供されることができ、そしてそれは、変調記号（例、ＯＦＤＭのための）をさらに処理することができる。ＴＸ ＭＩＭＯプロセッサ９２０は、そのあとで、ＮＴ送信機（ＴＭＴＲ）９２２a〜９２２ｔに対して、ＮＴ変調記号ストリームを提供する。様々な実施形態において、ＴＸ ＭＩＭＯプロセッサ９２０は、データストリームの記号に対して、また、記号が送信されているアンテナに対して、ビームフォーミング重みづけ(beamforming weights)を適用する。
【００５５】
各送信機９２２は、１つまたは複数のアナログ信号を提供するためにそれぞれの記号ストリームを受信し、処理し、そして、アナログ信号を、ＭＩＭＯチャネル上で送信に適切な変調信号を提供するようにさらに条件づける（例、増幅し、フィルタにかけ、そしてアップコンバートする）。さらに、送信機９２２ａ〜９２２ｔからのＮＴ変調信号は、ＮＴアンテナ９２４ａ〜９２４ｔからそれぞれ送信される。
【００５６】
モバイルデバイス９５０で、送信された変調信号は、ＮRアンテナ９５２ａ〜９５２ｒによって受信され、そして、各アンテナ９５２からの受信信号は、各受信機（ＲＣＶＲ）９５４ａ〜９５４に対して提供される。各受信機９５４は、それぞれの信号を条件づけ（例えば、フィルタにかけ、増幅し、そしてダウンコンバートし）、サンプルを提供するように条件づけられた信号をデジタル化し、そして、対応する「受信」記号ストリームを提供するためにサンプルをさらに処理する。
【００５７】
ＲＸデータプロセッサ９６０は、ＮＴ「検出された」記号ストリームを提供するために特定の受信機処理技術に基づいて、ＮR受信機９５４からＮR受信記号ストリームを受信し、処理することができる。ＲＸデータプロセッサ９６０は、データストリームのためにトラフィックデータを回復するために各検出された記号ストリームを復調し、デインタリーブし、そして復号する。ＲＸデータプロセッサ９６０による処理は、基地局９１０における、ＴＸ ＭＩＭＯプロセッサ９２０及びＴＸデータプロセッサ９１４によって実行されるものの補足である。
【００５８】
プロセッサ９７０は、上記で説明されるように、どのプレコーディングマトリックスを利用するかを周期的に決定することができる。さらに、プロセッサ９７０は、マトリックスインデックス部分及びランク値部分を備えている逆方向リンクメッセージを公式化することができる。
【００５９】
逆方向リンクメッセージは、通信リンク及び／または受信データストリームに関する様々なタイプの情報を備えることができる。逆方向リンクメッセージは、ＴＸデータプロセッサ９３８によって処理され、そしてそれはデータソース９３６から多数のデータストリームについてトラフィックをさらに受信し、モジュレータ９８０によって変調され、送信機９５４ａ〜９５４ｒによって条件づけられ、そして、基地局９１０に戻って送信されることができる。
【００６０】
基地局９１０で、モバイルデバイス９５０からの変調信号は、アンテナ９２４によって受信され、受信機９２２によって条件付けられ、デモジュレータ９４０によって復調され、そしてモバイルデバイス９５０によって送信された逆方向リンクメッセージを抽出するためにＲＸデータプロセッサ９４２によって処理される。さらに、プロセッサ９３０は、ビームフォーミングづけの重み付けを決定するために使用するために、どのプレコーディングマトリクスを使用するかを決定する、抽出されたメッセージを処理することができる。
【００６１】
プロセッサ９３０及び９７０は、基地局９１０で及びモバイルデバイス９５０での、それぞれの操作を指示する（例えば、制御する、調整する、管理する、等）ことができる。それぞれのプロセッサ９３０及び９７０は、プログラムコード及びデータを保存するメモリ９３２及び９７２に関連づけられることができる。プロセッサ９３０及び９７０はまた、アップリンク及びダウンリンクについてそれぞれ周波数及びインパルス応答推定値を導き出すために、計算を実行することができる。
【００６２】
ここにおいて説明された実施形態は、ハードウェア、ソフトウェア、ファームウェア、ミドルウェア、マイクロコードあるいはそれらのいずれの組み合わせで、インプリメントされることができるということは理解されるべきである。ハードウェアインプリメンテーションの場合、プロセッシングユニット(processing units)は、１つまたは複数の特定用途向け集積回路（ＡＳＩＣｓ）、デジタル信号プロセサ（ＤＳＰｓ）、デジタル信号処理デバイス（ＤＳＰＤｓ）、プログラム可能論理デバイス（ＰＬＤｓ）、フィールドプログラマブルゲートアレイ（ＦＰＧＡｓ）、プロセッサ、コントローラ、マイクロコントローラ、マイクロプロセッサ、ここにおいて説明された機能を実行するように設計された他の電子ユニット、あるいは、それらの組み合わせ、内でインプリメントされることができる。
【００６３】
実施形態がソフトウェア、ファームウェア、ミドルウェアあるいはマイクロコード、プログラムコードあるいはコードセグメントにおいてインプリメントされるとき、それらは、ストレージコンポーネントのようなマシン可読媒体において保存されることができる。コードセグメントは、プロシージャ、関数、サブプログラム、プログラム、ルーチン、サブルーチン、モジュール、ソフトウェアパッケージ、クラス、あるいは、インストラクション、データ構造、あるいはプログラムステートメントのいずれの組み合わせ、を表すことができる。コードセグメントは、情報、データ、アーギュメント、パラメータ、あるいはメモリコンテンツを受け渡すこと及び／または受信することによって、別のコードセグメント、あるいはハードウェア回路に結合されることができる。情報、アーギュメント、パラメータ、データ等は、メモリ共有、メッセージパッシング(message passing)、トークンパッシング(token passing)、ネットワーク伝送、等を含んでいるいずれの適切な手段を使用して、受け渡され、転送され、あるいは送信されることができる。
【００６４】
ソフトウェアインプリメンテーションの場合、ここにおいて説明された技術は、ここにおいて説明された関数を実行するモジュール（例、プロシージャ、関数、等）を用いてインプリメントされることができる。ソフトウェアコードは、メモリユニットに保存され、プロセッサによって実行されることができる。メモリユニットは、プロセッサ内で、あるいは、プロセッサ外で、インプリメントされることができ、その場合には、それは、当技術分野において知られているような様々な手段を介してプロセッサに通信的に結合されることができる。
【００６５】
図１０を参照すると、ＣＣＦＩを生成し、選択された周波数部分にわたって選択的に送信するシステム１０００が図示されている。例えば、システム１０００は、基地局、モバイルデバイスなどの内に少なくとも部分的に常駐することができる。システム１００は機能ブロックを含むものとして表されるということは理解されるべきであり、そしてそれは、プロセッサ、ソフトウェア、あるいはそれらの組み合わせ（例、ファームウェア）によってインプリメントされる機能を表す機能ブロック図であることができる。システム１０００は、一緒に動作できる電子コンポーネントの論理グルーピング１００２を含む。例えば、論理グルーピング１００２は、その後に送信された制御チャネルの構造を定義するＣＣＦＩデータを生成するための電子コンポーネント１００４を含むことができる。例えば、ＣＣＦＩデータは、制御データを備えている後続ＯＦＤＭ記号の数に関連づけることができる。さらに、論理グルーピング１００２は、セル識別子にしたがって帯域幅上で再使用可能にシフトすることに少なくとも部分的に基づいてＣＣＦＩデータが拡散される、帯域幅の部分を選択するための電子コンポーネント１００６を備えることができる。例えば、周波数は、利用可能な周波数に少なくとも部分的に基づいて選択されることができ、そして、ＣＣＦＩデータを送信することを必要とされる。選択された周波数は、セルを固有に識別するために与えられたセルについてシフトされることができ、この点において、帯域幅は、上記で説明されるようなＣＣＦＩデータの送信機を識別する方法で、再使用される。さらに、ＣＣＦＩデータは、例えば、ＴＴＩの初期ＯＦＤＭ記号においてマッピングされることができるので、受信機は、制御チャネルを受信する前に制御チャネル構造を決定することができる。さらに、論理グルーピング１００２は、帯域幅の選択部分上でＣＣＦＩデータを送信するための電子コンポーネント１００８を備えることができる。一例において、受信デバイスは、送信セルを識別するために送信されたＣＣＦＩデータを利用することができる。さらに、システム１０００は、電子コンポーネント１００４、１００６及び１００８に関連づけられた、関数を実行するためのインストラクションを保持するメモリ１０１０を含むことが出来る。メモリ１０１０の外にあるものとして示されているが、１つまたは複数の電子コンポーネント１００４、１００６、及び１００８は、メモリ１０１０内で存在することができるということが理解されるべきである。
【００６６】
図１１に戻ると、無線通信ネットワークにおいてＣＣＦＩデータを受信し解釈するシステム１１００が図示されている。システム１１００は、例えば、基地局、モバイルデバイス等、の内で、常駐することができる。図示されているように、システム１１００は、プロセッサ、ソフトウェア、あるいはそれらの組み合わせ（例、ファームウェア）によってインプリメントされる機能を表すことができる機能ブロックを含む。システム１１００は、ＣＣＦＩデータを受信し使用することを容易にする電子コンポーネントの論理グルーピング１１０２を含む。論理グルーピング１１０２は、帯域幅の受信された部分にわたって、ＣＣＦＩデータの周波数位置を決定するための電子コンポーネント１１０４を含むことができる。そのような情報は、受信機が情報の送信機を識別することを可能にするだけではなく、また、ＣＣＦＩデータを復号することも可能にし、そしてそれは、後続制御及び／またはデータチャネルの構造を決定することにおいて、使用されることができる。さらに、論理グルーピング１１０２は、帯域幅の部分におけるＣＣＦＩデータの位置に少なくとも部分的に基づいて、送信セルを識別するための電子コンポーネント１１０６を含むことができる。したがって、ＣＣＦＩデータは、上記で説明されるように、帯域幅全体に拡散される、例えば送信セルを識別するように、シフトされる。さらに、システム１１００は、電子コンポーネント１１０４及び１１０６に関連づけられた、機能を実行するためのインストラクションを保持するメモリ１１０８を含むことができる。メモリ１１０８の外にあるものとして示されているが、電子コンポーネント１１０４及び１１０６は、メモリ１１０８内に存在することができるということが理解されるべきである。
【００６７】
上記で説明されてきたものは、１つまたは複数の実施形態の例を含んでいる。前述の実施形態を説明する目的のためにすべての考えられるだけのコンポーネントあるいは方法の組み合わせを記述することは、もちろん、可能ではないが、当業者は、様々な実施形態の多くのさらなる組み合わせと並び替えが可能であるということを認識することが出来る。したがって、説明された実施形態は、添付された特許請求の範囲の精神および範囲の中に入るすべてのそのような変更、修正、および変形を包含するように、意図されている。さらに、用語「含む(includes)」が詳細な説明あるいは特許請求の範囲のいずれかにおいて使用されている限りにおいて、そのような用語は、用語「備えている(comprising)」がトランジショナルワード(transitional word)として請求項において使用されるときに解釈されるように、用語「備えている(comprising)」と同様な方法で包括的であるように意図されている。
【図１】
2010531119.tif 000003
【図２】
2010531119.tif 000004
【図３】
2010531119.tif 000005
【図４】
2010531119.tif 000006
【図５】
2010531119.tif 000007
【図６】
2010531119.tif 000008
【図７】
2010531119.tif 000009
【図８】
2010531119.tif 000010
【図９】
2010531119.tif 000011
【図１０】
2010531119.tif 000012
【図１１】
2010531119.tif 000013
【国際調査報告】
2010531119.tif 000014
2010531119.tif 000015